(57)【要約】      （修正有）【課題】各種の機器等において使用できる芳香具を提供する。【解決手段】周壁部を有する器盤材８に多数の通孔７を設け、通孔７を有する器盤材８内部に芳香剤を吸着した石膏材を収容し、この器盤材８に蓋板１０を被嵌して成る芳香発散部材６を設けて成る芳香具である。また、上記構成の芳香具を、イヤホーン２，２を有する分岐コード１，１上を摺動し得る取付部材１２に取付け、周壁部を有する器盤材８には多数の通孔７を設け、通孔７を有する器盤材８内に芳香剤を吸着した石膏材を収容し、器盤材８に蓋板１０を被嵌して成るものを使用するものであり、また、上記構成の芳香具においてグリップ材を取付けて使用するものである。【選択図】図１
0003199669.tif 000002
【実用新案登録請求の範囲】
【請求項１】
周壁部を有する器盤材に多数の通孔を設け、該通孔を有する器盤材内部に芳香剤を吸着した石膏材を収容し、これに蓋板を被嵌して成る芳香発散部材を設けて成る芳香具。
【請求項２】
周壁部を有する器盤材に多数の通孔を設け、該通孔を有する器盤材内部に芳香剤を吸着した石膏材を収容し、これに蓋板を被嵌して成る芳香発散部材をイヤホーンを有する分岐コード上を摺動する取付部材に取付けて成ることを特徴とする芳香具。
【請求項３】
周壁部を有する器盤材に多数の通孔を設け、該通孔を有する器盤材内部に芳香剤を吸着した石膏材を収容し、これに蓋板を被嵌して成る芳香発散部材にグリップ材を取付けて成ることを特徴とする芳香具。
【考案の詳細な説明】
【技術分野】
【０００１】
本考案は、各種の機器等において使用できる芳香具に関するものである。
【背景技術】
【０００２】
例えば、通勤のために満員電車中で両耳にイヤホーンを当ててラジオやＣＤから流れる音声や音楽を聴取することは日常茶飯事となっているところ、通勤中の車内時間における状況を少しでも緩和するために、芳香剤を使用する器具等としては、次のようなものが見受けられる。
【先行技術文献】
【特許文献】
【０００３】
【特許文献１】実用新案登録第３０００１８１号公報
【特許文献２】特開２００６−２６４２１号公報
【特許文献３】特開２００７−１５１６５４号公報
【特許文献４】特開２００３−２０７１５１号公報
【特許文献５】実用新案登録第２５６３２８０号公報
【考案の概要】
【考案が解決しようとする課題】
【０００４】
しかしながら、これらいずれの技術的思想の創作にあっても、イヤホーンのコードに取付けて芳香させることにより精神的な緩和状態を使用者に与えることができるものではないから、本考案にあっては特にそれを意図した芳香具を提供することを目的とするものである。
【課題を解決するための手段】
【０００５】
本考案にあっては、周壁部を有する器盤材に多数の通孔を設け、該通孔を有する器盤材内部に芳香剤を吸着した石膏材を収容し、この器盤材に蓋板を被嵌して成る芳香発散部材を設けて成る芳香具である。
【０００６】
また、本考案にあっては、上記構成の芳香具を、イヤホーンを有する分岐コード上を摺動し得る取付部材に取付け、周壁部を有する器盤材には多数の通孔を設け、該通孔を有する器盤材内に芳香剤を吸着した石膏材を収容し、前記器盤材に蓋板を被嵌して成るものを使用するものである。
【０００７】
また、本考案にあっては、上記構成の芳香具において、グリップ材を取付けて使用するものである。
【考案の効果】
【０００８】
第１に、使用者は、本考案に係る蓋板付器盤材を有していれば、その中に収容する石膏材に対し自分の好みに合わせた香料，アロマの芳香剤を吸着させて使用することができ、実際の使用時には、連結材上の盤具材を使用者の胸部分あたりに位置するように上下自由に摺動調整して使用することができるのである。
【０００９】
第２に、芳香剤を自動車運転席前のエアコンで使用したいときは、器盤材にグリップ材を取付け、このグリップ材をエアコンルーバーの任意箇所に取付けておくだけでよい。
【００１０】
第３に、いずれの場合の使用時にあっても、使用者好みの芳香を芳香発散部材の器盤材の通孔から円滑に発散させることができる。
【図面の簡単な説明】
【００１１】
【図１】一実施例の全体の背面図
【図２】図１実施例の要部を分離した斜視図
【図３】図１実施例の他要部の関係を示す斜視図
【図４】他実施例の全体の斜視図
【図５】図４実施例の関係を示す斜視図
【図６】図４の平面図
【考案を実施するための形態】
【００１２】
電車等に乗ってイヤホーンを使用する者は、胸部分の前に配置されている分岐コード上の芳香発散部材を上下適当位置に摺動して調整するようにすればよいのであり、この使用中に、この部材内部の石膏材から通孔を介して芳香剤が発散するようになる。
【００１３】
一つの芳香剤による効果が終了した後は、別の芳香剤を石膏材に吸着させて発散するようにしてもよく、また別に用意した別芳香剤入りの石膏材に交換してもよく、使用する芳香剤の種類は、使用者の好みに合わせて自由である。
【実施例】
【００１４】
１，１は分岐したコードで、この各コードの先端部にはイヤホーン２，２を設ける。
【００１５】
３は前記分岐コード１，１を連結子４にまとめて１本化したメーンコードで、このメーンコードの先端にはジャック５を設ける。
【００１６】
６は芳香発散部材で、この芳香発散部材は多数の通孔７・・を有する器盤材８と内部に収容する石膏材９及びこれを被嵌する蓋板１０から成る。
【００１７】
１１は前記器盤材８の裏面中央部に着脱し得るように設けた凸起材で、この凸起材の形状は平面Ｔ型に成り、この凸起材に対しては、イヤホーン取付用の取付部材１２の背面部１３の縦溝１４や後記エアコンルーバー取付用のグリップ材１６の背面部１７の縦溝１８が係合するようになる。
【００１８】
１５，１５は前記イヤホーン取付け用の取付部材１２の左右両側部に設けた凹溝で、この凹溝には前記分岐コード１，１をそれぞれ係合し、上下に摺動調整し得るようにする。
【００１９】
１６は自動車運転席のエアコンルーバーに取付けるためのグリップ材で、このグリップ材の背面部１７の縦溝１８が前記器盤材８の凸起材１１に係合して取付くようになる。
【００２０】
即ち、本芳香発散器材６を、自家用車運転席のエアコンルーバーに取付けるときは、前記グリップ材１６の背面部１７を前記凸起材１１の左右凹溝に係合してそのままルーバーの任意箇所に掛け止めすればよい。
【符号の説明】
【００２１】
１，１                            分岐コード
２，２                            イヤホーン
３                                メーンコード
４                                連結子
５                                ジャック
６                                芳香発散部材
７・・                            通孔
８                                器盤材
９                                石膏材
１０                              蓋板
１１                              凸起材
１２                              取付部材
１３                              背面部
１４                              縦溝
１５，１５                        凹溝
１６                              グリップ材
１７                              背面部
１８                              縦溝
【図１】
0003199669.tif 000003
【図２】
0003199669.tif 000004
【図３】
0003199669.tif 000005
【図４】
0003199669.tif 000006
【図５】
0003199669.tif 000007
【図６】
0003199669.tif 000008